(57)【要約】      （修正有）【課題】仕分けモジュールを着脱自在に受領モジュールの底端に取り付けることができ、着脱が簡単で、修理が容易で且つリサイクル特性を具備したコイン受領機の仕分け装置を提供する。【解決手段】コイン受領機のパネル後側にコインチャネルを具えた受領モジュールが設けられ、受領モジュールの底端に第１仕分けチャネルを具えた仕分けモジュールが設けられ、且つ仕分けモジュールの第１仕分けチャネルが受領モジュールのコインチャネルに連通し、更に、上述の受領モジュールの底端に係合部が設けられ、且つ仕分けモジュールの上端に着脱自在に受領モジュールの係合部と係合する係止部が設けられ、並びに仕分けモジュールの内側にブロック片を具えた作動セットが設けられ、且つ作動セットのブロック片が可動式に仕分けモジュールの第１仕分けチャネルをブロックし、これによりコインの流れ方向を制御し、並びに着脱が簡単で、修理が容易で且つリサイクル特性を具えたものとされている。【選択図】図２
0003102363.tif 000002
【実用新案登録請求の範囲】
【請求項１】
コイン受領機のパネル後側にコインチャネルを具えた受領モジュールが設けられ、受領モジュールの底端に第１仕分けチャネルを具えた仕分けモジュールが設けられ、且つ仕分けモジュールの第１仕分けチャネルが受領モジュールのコインチャネルに連通する、コイン受領機の仕分け装置において、
上述の受領モジュールの底端に係合部が設けられ、且つ仕分けモジュールの上端に着脱自在に受領モジュールの係止部と係合する係止部が設けられ、並びに仕分けモジュールの内側にブロック片を具えた作動セットが設けられ、且つ作動セットのブロック片が可動式に仕分けモジュールの第１仕分けチャネルをブロックし、これによりコインの流れ方向を制御することを特徴とする、コイン受領機の仕分け装置。
【請求項２】
請求項１記載のコイン受領機の仕分け装置において、仕分けモジュールに収容空間を具えた第１ケースと第２ケースが設けられ、第１ケースと第２ケースの間に第１仕分けチャネルが形成され、第１ケースの収容空間内に作動セットが収容され、且つ作動セットのブロック片が第１ケースの収容空間に設けられた貫通溝を通り第１仕分けチャネルをブロック可能とされ、第２ケースの収容空間に検出モジュールが収容されたことを特徴とする、コイン受領機の仕分け装置。
【請求項３】
請求項２記載のコイン受領機の仕分け装置において、第２ケースの収容空間の表面をサイドカバーが被覆し、該サイドカバーの表面に複数のフックが延設され、第２ケースに複数の係止溝が設けられ、サイドカバーのフックが第２ケースの係止溝に係合することでサイドカバーが位置決めされたことを特徴とする、コイン受領機の仕分け装置。
【請求項４】
請求項２記載のコイン受領機の仕分け装置において、第１ケースの収容空間にフックが設けられ、作動セットの表面に係止溝が設けられ、収容空間のフックが作動セットの係止溝に係合して位置決めを形成したことを特徴とする、コイン受領機の仕分け装置。
【請求項５】
請求項２記載のコイン受領機の仕分け装置において、第１ケースと第２ケースの一側の表面に第２仕分けチャネルが設けられ、且つ第２仕分けチャネルが第１仕分けチャネルに連通することを特徴とする、コイン受領機の仕分け装置。
【請求項６】
請求項１記載のコイン受領機の仕分け装置において、作動セットが電磁弁スイッチとされたことを特徴とする、コイン受領機の仕分け装置。
【考案の詳細な説明】
【技術分野】
【０００１】
本考案は一種のコイン受領機の仕分け装置に係り、特に、仕分けモジュールが着脱可能に受領モジュールの底端に取り付けられ、これにより着脱が簡単で、修理が容易でリサイクル特性を具えたコイン受領機の仕分け装置に関する。
【背景技術】
【０００２】
テクノロジーの発達により、多くの公共の場所では現代人の重視する便利性と迅速性を考慮し、食品や飲料、チケット等の自動販売機や両替機が設置され、並びに上述の自動販売機器により労働力を大幅に削減するほか、使用時の便利性が人々に受け入れられている。このような自動販売機はいずれも機器の内部にコイン仕分け機構を具え、使用者がコインを投入した後、コインが適当な保存位置へと案内される。
【０００３】
図９、１０は周知の技術の側面断面図である。これらの図に示されるように、仕分け装置Ａ内部には昇降装置Ａ１が設けられ、且つ昇降装置Ａ１は連接棒Ａ１１に接続されて連接棒Ａ１１を駆動することにより、コインＢが上方から落下する時に第１チャネルＡ２或いは第２チャネルＡ３に滑り込ませて、これによりコイン分類の目的を達成する。しかしこのような方法は以下のような欠点を有している。
１．コインＢはいずれも仕分け装置Ａの下方に設置された第１チャネルＡ２及び第２チャネルＡ３を滑り出るため、これらのチャネルを収容するために大きな空間が必要で、仕分け装置Ａの占用空間を有効に縮小することができない。
２．昇降装置Ａ１が連接棒Ａ１１を駆動することで、コインＢを第１チャネルＡ２或いは第２チャネルＡ３に滑り込ませるが、連接棒Ａ１１と昇降装置Ａ１は過多の接点で結合され、接点のゆるみにより連接棒Ａ１１のぐらつきを発生しやすく、このためコインがひっかかり易くなる欠点がある。
３．上述の周知の仕分け装置Ａは直接コイン受領機（図示せず）内に固定されるが、このような設計は仕分け装置Ａに故障が生じて修理が必要となった時に、コイン受領機ごと分解しなければ修理が行なえない。さらに、仕分け装置Ａ或いはコイン受領機が損壊した時、まとめて交換しなければならず、ゆえに周知の技術は取り外し或いは修理のいずれにも不便で、且つリサイクル特性を具備せず、このため製造コストが高くなる。
【考案の開示】
【考案が解決しようとする課題】
【０００４】
本考案の主要な目的は、仕分けモジュールを着脱自在に受領モジュールの底端に取り付けることができ、着脱が簡単で、修理が容易で且つリサイクル特性を具備したコイン受領機の仕分け装置を提供することにある。
【０００５】
本考案の次の目的は、仕分けモジュール内にブロック片を具えた作動セットが設けられ、且つ作動セットのブロック片が可動式に仕分けモジュールの第１仕分けチャネルをブロックし、これによりコインの流れ方向を有効に制御すると共にコイン仕分け効果を達成するコイン受領機の仕分け装置を提供することにある。
【課題を解決するための手段】
【０００６】
請求項１の考案は、コイン受領機のパネル後側にコインチャネルを具えた受領モジュールが設けられ、受領モジュールの底端に第１仕分けチャネルを具えた仕分けモジュールが設けられ、且つ仕分けモジュールの第１仕分けチャネルが受領モジュールのコインチャネルに連通する、コイン受領機の仕分け装置において、
上述の受領モジュールの底端に係合部が設けられ、且つ仕分けモジュールの上端に着脱自在に受領モジュールの係止部と係合する係止部が設けられ、並びに仕分けモジュールの内側にブロック片を具えた作動セットが設けられ、且つ作動セットのブロック片が可動式に仕分けモジュールの第１仕分けチャネルをブロックし、これによりコインの流れ方向を制御することを特徴とする、コイン受領機の仕分け装置としている。
請求項２の考案は、請求項１記載のコイン受領機の仕分け装置において、仕分けモジュールに収容空間を具えた第１ケースと第２ケースが設けられ、第１ケースと第２ケースの間に第１仕分けチャネルが形成され、第１ケースの収容空間内に作動セットが収容され、且つ作動セットのブロック片が第１ケースの収容空間に設けられた貫通溝を通り第１仕分けチャネルをブロック可能とされ、第２ケースの収容空間に検出モジュールが収容されたことを特徴とする、コイン受領機の仕分け装置としている。
請求項３の考案は、請求項２記載のコイン受領機の仕分け装置において、第２ケースの収容空間の表面をサイドカバーが被覆し、該サイドカバーの表面に複数のフックが延設され、第２ケースに複数の係止溝が設けられ、サイドカバーのフックが第２ケースの係止溝に係合することでサイドカバーが位置決めされたことを特徴とする、コイン受領機の仕分け装置としている。
請求項４の考案は、請求項２記載のコイン受領機の仕分け装置において、第１ケースの収容空間にフックが設けられ、作動セットの表面に係止溝が設けられ、収容空間のフックが作動セットの係止溝に係合して位置決めを形成したことを特徴とする、コイン受領機の仕分け装置としている。
請求項５の考案は、請求項２記載のコイン受領機の仕分け装置において、第１ケースと第２ケースの一側の表面に第２仕分けチャネルが設けられ、且つ第２仕分けチャネルが第１仕分けチャネルに連通することを特徴とする、コイン受領機の仕分け装置としている。
請求項６の考案は、請求項１記載のコイン受領機の仕分け装置において、作動セットが電磁弁スイッチとされたことを特徴とする、コイン受領機の仕分け装置としている。
【考案の効果】
【０００７】
本考案は、仕分けモジュールを着脱自在に受領モジュールの底端に取り付けることができ、着脱が簡単で、修理が容易で且つリサイクル特性を具備したコイン受領機の仕分け装置を提供している。
【０００８】
本考案はまた、仕分けモジュール内にブロック片を具えた作動セットが設けられ、且つ作動セットのブロック片が可動式に仕分けモジュールの第１仕分けチャネルをブロックし、これによりコインの流れ方向を有効に制御すると共にコイン仕分け効果を達成するコイン受領機の仕分け装置を提供している。
【考案を実施するための最良の形態】
【０００９】
図１、２、３、４に示されるのは、本考案の仕分けモジュールの斜視図、分解斜視図、仕分けモジュールとコイン受領機の取り付け前の斜視図、仕分けモジュールとコイン受領機の取り付け後の斜視図である。これらの図に示されるように、本考案はコイン受領機１と仕分けモジュール２で組成される。
【００１０】
該コイン受領機１はコイン投入口１１１とコイン退出口１１２を具えたパネル１１を具え、該パネル１１の後側にコインチャネル１２１を具えた受領モジュール１２が設けられ、並びに受領モジュール１２の底端に係合部１２２が設けられている。さらに、上述のパネル１１のコイン投入口１１１及びコイン退出口１１２は受領モジュール１２のコインチャネル１２１に連通している。
【００１１】
該仕分けモジュール２は、収容空間２１１、２２１を具えた第１ケース２１と第２ケース２２を具え、且つ第１ケース２１と第２ケース２２の間に第１仕分けチャネル２３が設けられ、第２ケース２２の収容空間２２１に検出モジュール２４が設けられ、並びに第２ケース２２の収容空間２２１の表面がサイドカバー２５で被覆され、且つサイドカバー２５の表面より複数のフック２５１が延伸され、第２ケース２２に複数の係止溝２２２が設けられ、サイドカバー２５の複数のフック２５１が第２ケース２２の対応する係止溝２２２内に係合しサイドカバー２５がしっかりと位置決めされ、且つ、上述の第１ケース２１の上端より係止部２１２が延伸され、並びに第１ケース２１の収容空間２１１内にブロック片２６１を具えた作動セット２６が収容され、且つ作動セット２６のブロック片２６１が第１ケース２１の収容空間２１１に設けられた貫通溝２１１１を通り第１仕分けチャネル２３に設置され、且つ第１ケース２１の収容空間２１１にフック２１１２が設けられ、作動セット２６の表面に係止溝２６２が設けられ、収容空間２１１のフック２１１２が作動セット２６の係止溝２６２内に位置決めされている。さらに、上述の第１ケース２１と第２ケース２２の一側の表面に第２仕分けチャネル２７が設けられ、且つ第２仕分けチャネル２７は第１仕分けチャネル２３に連通している。
【００１２】
上述の構成要件が組み立てられる時は、仕分けモジュール２の第１ケース２１の上端に設置された係止部２１２がコイン受領機１の受領モジュール１２底端に設けられた係合部１２２内に係合する。この時、上述の仕分けモジュール２の第１仕分けチャネル２３がコイン受領機１のコインチャネル１２１と連通状態を形成する。
【００１３】
図５、６、７、８は本考案の側面動作図（一）、正面断面動作図（一）、側面断面動作図（二）、及び正面断面動作図（二）である。これらの図に示されるように、コイン３がコイン受領機１のパネル１１に設けられたコイン投入口１１１より受領モジュール１２のコインチャネル１２１に進入する時、連通状態を形成するコインチャネル１２１と第１仕分けチャネル２３により、コイン３が仕分けモジュール２の第１仕分けチャネル２３内に進入する。この時、仕分けモジュール２の検出モジュール２４がコイン３を検出し、並びに検出信号を作動セット２６に送り、作動セット２６が検出信号を受け取りブロック片２６１を駆動し、第１ケース２１の収容空間２１１に設けられた貫通溝２１１１を通り第１仕分けチャネル２３内をブロックさせる時、上述のコイン３はブロック片２６１にブロックされて、仕分けモジュール２の第２仕分けチャネル２７内に導入される。さらに、作動セット２６が検出信号を受け取り、ブロック片２６１を第１ケース２１の収容空間２１１に設けられた貫通溝２１１１をとおして収容空間２１１内に退出させる時、上述のコイン３は直接第１仕分けチャネル２３を通り下向きに移動する。
【００１４】
さらに、本考案は上述の作動セット２６が電磁弁スイッチとされ得て、且つ仕分けモジュール２が使用者の必要により、コイン受領機１より直接取り外して修理或いは交換可能で、これにより着脱が簡単で、修理が容易でリサイクル特性を具備するものとされる。
【００１５】
以上は本考案の好ましい実施例の説明であって、本考案の実施範囲を限定するものではなく、本考案に基づきなしうる細部の修飾或いは改変は、いずれも本考案の請求範囲に属するものとする。
【図面の簡単な説明】
【００１６】
【図１】本考案の仕分けモジュールの斜視図である。
【図２】本考案の仕分けモジュールの分解斜視図である。
【図３】本考案の仕分けモジュールとコイン受領機の取り付け前の斜視図である。
【図４】本考案の仕分けモジュールとコイン受領機の取り付け後の斜視図である。
【図５】本考案の側面動作図（一）である。
【図６】本考案の正面断面動作図（一）である。
【図７】本考案の側面断面動作図（二）である。
【図８】本考案の正面断面動作図（二）である。
【図９】従来の技術の側面断面図（一）である。
【図１０】従来の技術の側面断面図（二）である。
【符号の説明】
【００１７】
１  コイン受領機
１１  パネル                        １２  受領モジュール
１１１  コイン投入口                １２１  コインチャネル
１１２  コイン退出口                １２２  係合部
２  仕分けモジュール
２１  第１ケース                    ２３  第１仕分けチャネル
２１１  収容空間                    ２４  検出モジュール
２１１１  貫通溝                    ２５  サイドカバー
２１２  係止部                      ２５１  フック
２１１２  フック                    ２６  作動セット
２２  第２ケース                    ２６１  ブロック片
２２１  収容空間                    ２６２  係止溝
２２２  係止溝                      ２７  第２仕分けチャネル
３  コイン
Ａ  仕分け装置
Ａ１  昇降装置                      Ａ２  第１チャネル
Ａ１１  連接棒                      Ａ３  第２チャネル
Ｂ  コイン
【図１】
0003102363.tif 000003
【図２】
0003102363.tif 000004
【図３】
0003102363.tif 000005
【図４】
0003102363.tif 000006
【図５】
0003102363.tif 000007
【図６】
0003102363.tif 000008
【図７】
0003102363.tif 000009
【図８】
0003102363.tif 000010
【図９】
0003102363.tif 000011
【図１０】
0003102363.tif 000012